(57)【要約】【課題】放送局から送信される番組を記録する際に、適切な画質モードの選択を容易に行うことができる映像記録装置を提供する。【解決手段】まず、第１チューナを用いて最高画質で記録した信号を再生し（＃１１）、リモートコントローラの画質確認キーが操作されると（＃１２においてＹＥＳ）、設定された画質モードで記録された信号を再生させる（＃１３）。その後、画質確認キー７４が操作されると（＃１４においてＹＥＳ）、＃１１に戻り、最高画質で記録した信号を再生する。これにより、画質確認キー７４が操作されるたびに、ハードディスク装置４に記録されている最高画質の信号と符号化された信号が、交互に再生される。【選択図】図４
2010283693.tif 000002
【特許請求の範囲】
【請求項１】
放送局から送信された放送信号を受信する第１受信手段及び第２受信手段と、前記第２受信手段によって受信された放送信号を符号化する信号符号手段と、前記第１受信手段によって受信された放送信号及び前記信号符号手段によって符号化された信号を記録する信号記録手段と、前記信号記録手段によって記録された信号を復号する信号復号手段と、前記第１受信手段、第２受信手段、信号符号手段、信号記録手段及び信号復号手段を制御する制御手段と、前記制御手段に指令を入力するためにユーザによって操作される指令入力手段とを備えた映像記録装置において、
前記制御手段は、
前記第１受信手段によって受信された放送信号を信号記録手段に記録させると共に、
前記第１受信手段によって受信される周波数と同一の周波数の放送信号を、前記第１受信手段と同時に前記第２受信手段に受信させ、
前記第２受信手段によって受信された放送信号を、前記指令入力手段を介してユーザに設定された画質モードに対応する符号化率で前記信号符号手段に符号化させ、
前記信号符号手段によって符号化された信号を信号記録手段に記録させることを特徴とする映像記録装置。
【請求項２】
前記制御手段は、前記指令入力手段から所定の指令が入力されるたびに、
前記信号記録手段によって記録されている放送信号と符号化された信号を、前記信号復号手段に交互に復号させることを特徴とする請求項１に記載の映像記録装置。
【請求項３】
前記制御手段は、前記指令入力手段から所定の指令が入力されるたびに、前記信号記録手段によって記録されている放送信号と符号化された信号を、所定時間だけ遡った場面から前記信号復号手段に交互に復号させることを特徴とする請求項１又は請求項２に記載の映像記録装置。
【発明の詳細な説明】
【技術分野】
【０００１】
本発明は、ハードディスクレコーダ等の映像記録装置に関するものである。
【背景技術】
【０００２】
従来から映像記録装置は、複数の画質モードで映像を記録可能である。通常、チューナによって受信された映像は、ユーザによって予め設定された画質モードにしたがって符号化され、ハードディスク等の記録媒体に記録される。高画質の映像を楽しむためには、より高画質のモードを選択するが、この場合は記録媒体に記録可能な時間が短くなるため、ユーザは、画質と記録時間を考慮しつつ画質モードを設定する。
【０００３】
この画質モードの設定を容易なものとする技術として、特許文献１には、画質レベルが相違する複数の画像サンプルを１つの画面に表示する映像記録装置が示されている。また、特許文献２には、ハードディスクから光ディスクに情報をダビングする際に、記録のビットレートを変更した場合、変更後の映像を確認できるように構成された映像記録装置が開示されている。
【０００４】
しかしながら、上記特許文献１に示された映像記録装置においては、場面の異なる画像サンプルを比較することによっていずれの画質モードを選択するかを判断しなければならず、適切な画質モードの選択を行えない場合が生ずる。上記特許文献２に示された映像記録装置においては、放送局から送信される番組を記録する際に、映像を確認することができない。
【先行技術文献】
【特許文献】
【０００５】
【特許文献１】特開２００８-１０９３７６号公報
【特許文献２】特開２００７-４２１９７号公報
【発明の概要】
【発明が解決しようとする課題】
【０００６】
本発明は、上記課題を解決するためになされたものであり、放送局から送信される番組を記録する際に、適切な画質モードの選択を容易に行うことができる映像記録装置を提供することを目的とする。
【課題を解決するための手段】
【０００７】
上記目的を達成するために請求項１の発明は、放送局から送信された放送信号を受信する第１受信手段及び第２受信手段と、前記第２受信手段によって受信された放送信号を符号化する信号符号手段と、前記第１受信手段によって受信された放送信号及び前記信号符号手段によって符号化された信号を記録する信号記録手段と、前記信号記録手段によって記録された信号を復号する信号復号手段と、前記第１受信手段、第２受信手段、信号符号手段、信号記録手段及び信号復号手段を制御する制御手段と、前記制御手段に指令を入力するためにユーザによって操作される指令入力手段とを備えた映像記録装置において、前記制御手段は、前記第１受信手段によって受信された放送信号を信号記録手段に記録させると共に、前記第１受信手段によって受信される周波数と同一の周波数の放送信号を、前記第１受信手段と同時に前記第２受信手段に受信させ、前記第２受信手段によって受信された放送信号を、前記指令入力手段を介してユーザに設定された画質モードに対応する符号化率で前記信号符号手段に符号化させ、前記信号符号手段によって符号化された信号を信号記録手段に記録させることを特徴とする。
【０００８】
請求項２の発明は、請求項１に記載の映像記録装置において、前記制御手段は、前記指令入力手段から所定の指令が入力されるたびに、前記信号記録手段によって記録されている放送信号と符号化された信号を、前記信号復号手段に交互に復号させることを特徴とする。
【０００９】
請求項３の発明は、請求項１又は請求項２に記載の映像記録装置において、前記制御手段は、前記指令入力手段から所定の指令が入力されるたびに、前記信号記録手段によって記録されている放送信号と符号化された信号を、所定時間だけ遡った場面から前記信号復号手段に交互に復号させることを特徴とする。
【発明の効果】
【００１０】
請求項１の発明によれば、第１受信手段によって受信された放送信号と共に、第２受信手段によって同時に受信された同一周波数の放送信号が符号化されて信号記録手段に記録されるので、信号記録手段によって記録されている放送信号と符号化された信号を再生して画質を比較することにより、ユーザは適切な画質モードの選択を容易に行うことができる。
【００１１】
請求項２の発明によれば、指令入力手段から所定の指令が入力されるたびに、信号記録手段によって記録されている放送信号と符号化された信号を交互に復号させ、再生することができるので、簡単な操作によって画質の比較を容易に行えるようになる。
【００１２】
請求項３の発明によれば、指令入力手段から所定の指令が入力されるたびに、信号記録手段によって記録されている放送信号と符号化された信号を、所定時間だけ遡った場面から信号復号手段に交互に復号させるので、簡単な操作によって同じ場面の画質の比較を容易に行えるようになる。
【図面の簡単な説明】
【００１３】
【図１】本発明の一実施形態による映像記録装置のブロック図。
【図２】リモートコントローラの平面図。
【図３】画質モード確認機能を実行させて、試用映像を記録するときの映像記録装置の動作を示すフローチャート。
【図４】画質モード確認機能を実行させて、記録した試用映像の画質を確認するときの映像記録装置の動作を示すフローチャート。
【発明を実施するための形態】
【００１４】
本発明に係る映像記録装置の一実施形態であるハードディスクレコーダについて図面を参照して説明する。図１はハードディスクレコーダの概略構成を示している。ハードディスクレコーダ１は、チューナ部２と、エンコーダ（信号符号手段）３と、ハードディスク装置（信号記録手段）４と、デコーダ（信号復号手段）５と、信号出力部６と、リモートコントローラ（指令入力手段）７と、受光部８と、制御部（制御手段）９等によって構成されている。
【００１５】
チューナ部２は、放送局から送信された放送信号を受信する第１チューナ（第１受信手段）２１及び第２チューナ（第２受信手段）２２を有している。第１チューナ２１及び第２チューナ２２の構成は同等とされ、異なるチャンネルの番組を同時にハードディスク装置４に記録することができる。また、第２チューナ２２は、第１チューナ２１によって受信される周波数と同一の周波数の放送信号を、第１チューナ２１と同時に受信できる。従って、エンコーダ３を介することにより、同一のチャンネルの同一番組を異なる符号化率で記録することができる。すなわち、放送局から送信された放送信号をそのままハードディスク装置４に記録する場合は、第１チューナ２１を用い、圧縮して記録する場合は、第２チューナ２２を用いると共に、エンコーダ３によって符号化して圧縮をかける。
【００１６】
エンコーダ３は、第２チューナ２２によって受信された放送信号を符号化する。例えば、放送局から送信されたＭＰＥＧ規格に準拠する放送信号を、Ｈ．２６４の規格に準拠する信号に符号化して圧縮をかける。ハードディスク装置４は、第１チューナ２１によって受信された放送信号、及び第２チューナ２２によって受信された後エンコーダ３によって符号化された信号を記録する。
【００１７】
デコーダ５は、ハードディスク装置４によって記録された信号を復号する。例えば、デコーダ５は、第１チューナ２１によって受信されたＭＰＥＧ規格に準拠する放送信号、及びエンコーダ３によって符号化されたＨ．２６４の規格に準拠する信号を復号する。エンコーダ３による符号化は、ユーザによって設定された画質モードに対応する。信号出力部６は、映像出力部６１及び音声出力部６２を有し、外部のモニタ装置及びスピーカ等と接続される。映像出力部６１は、デコーダ５によって復号された映像信号をモニタ装置等の映像表示装置が処理可能な信号に変換して出力する。音声出力部６２は、デコーダ５によって復号された音声信号をスピーカ等の音声出力装置が処理可能な信号に変換して出力する。
【００１８】
リモートコントローラ７は、ハードディスクレコーダ１に指令を遠隔的に入力するために、ユーザによって操作され、その操作に応じた赤外線信号を出力する。受光部８は、リモートコントローラ７から出力された赤外線信号を受光して、それに応じた電気信号を制御部９に転送する。制御部９は、上記各部の制御を司る。例えば、制御部９は、受光部８から転送された電気信号に応じて、チューナ部２、エンコーダ３、ハードディスク装置４等を制御して、放送信号を記録させる。また、制御部９は、受光部８から転送された電気信号に応じて、ハードディスク装置４、デコーダ５、信号出力部６等を制御して、放送信号に含まれる映像信号及び音声信号を再生させる。
【００１９】
本実施形態のハードディスクレコーダ１は、例えば予約録画を設定する際に、ユーザが設定する画像モードの画質を確認するための画質確認機能を有している。より具体的には、ハードディスク装置４によって記録された信号のうち、第１チューナ２１によって受信された放送信号（最高画質が得られる信号）と、エンコーダ３によって符号化された信号の画質を確認するために画質確認機能が用いられる。エンコーダ３による符号化率は、画質モードに応じて複数段階に設定できるので、ユーザは、第１チューナ２１によって受信された放送信号からの劣化度を確認することにより、予約録画を設定するにあたって適切な画質モードを選択することができる。
【００２０】
図２は、リモートコントローラ７を示している。リモートコントローラ７は、メニューキー７１、カーソルキー７２及び決定キー７３、画質確認キー７４等を有している。
【００２１】
上記画質確認機能は、ユーザが、リモートコントローラ７のメニューキー７１、カーソルキー７２及び決定キー７３等を操作することにより利用可能となる。また、画質確認キー７４は、画質確認機能を実行中に、ユーザが画質を確認する際に用いられる。
【００２２】
図３及び図４は、画質確認機能を実行させているときのハードディスクレコーダ１の動作を示している。このうち、図３は試用映像を記録するときの動作を、図４は記録した試用映像を再生するときの動作をそれぞれ示している。予約録画の設定前における画質の確認は、以下に示すように、試用映像を記録し再生することによりなされる。
【００２３】
図３において、予約録画の設定時にまず、制御部９は、ユーザに画質確認機能を使用するか否かを問い合わせ（＃１）、使用する場合（＃２においてＹＥＳ）、画質確認機能をオンさせる（＃３）。そして、ユーザがリモートコントローラ７のカーソルキー７２及び決定キー７３等を操作して確認したい画質モードを設定すると（＃４）、制御部９は第１チューナ２１を用いて最高画質で記録させると共に、第２チューナ２２を用いて設定された画質モードで記録させる。すなわち、制御部９は、第１チューナ２１によって受信された放送信号をハードディスク装置４に記録させると共に、第２チューナ２２によって受信された放送信号を設定された画質モードに対応する符号化率でエンコーダ３に符号化させてハードディスク装置４に記録させる（＃５）。
【００２４】
さらに、画質確認機能を続行させるとき、図４において、まず、第１チューナ２１を用いて最高画質で記録した信号を再生し（＃１１）、ユーザによってリモートコントローラ７の画質確認キー７４が操作されると（＃１２においてＹＥＳ）、設定された画質モードで記録された信号を再生させる（＃１３）。このときハードディスク装置４に記録された信号を所定時間（例えば１０秒程度）だけ遡った場面から読み出して、デコーダ５、信号出力部６を介して再生させる。これにより、＃１１と同じ場面が再生される。その後、ユーザによってリモートコントローラ７の画質確認キー７４が操作されると（＃１４においてＹＥＳ）、＃１１に戻り、最高画質で記録した信号を再生する。これにより、リモートコントローラ７の画質確認キー７４が操作されるたびに、ハードディスク装置４に記録されている最高画質の信号と符号化された信号が、デコーダ５によって交互に復号させ再生させることになる。この場合にあってもハードディスク装置４に記録された信号を所定時間だけ遡った場面から読み出して、デコーダ５、信号出力部６を介して再生させる。これにより、＃１３と同じ場面が再生される。また、＃１２又は＃１４において、リモートコントローラ７の決定キー７３が操作された場合は（＃１２又は＃１４においてＮＯ）、制御部９は、再生中の画質モードで予約録画の設定を行い、処理を終了する。なお、＃５において放送信号と符号化された信号を記録しながら、＃１１を実行して記録した信号を追いかけて再生してもよい。
【００２５】
以上のように、本実施形態のハードディスクレコーダ１によれば、第１チューナ２１によって受信された放送信号と共に、第２チューナ２２によって同時に受信された同一周波数の放送信号が符号化されてハードディスク装置４に記録されるので、ハードディスク装置４によって記録されている放送信号と符号化された信号を再生して画質を比較することにより、ユーザは適切な画質モードの選択を容易に行うことができる。また、リモートコントローラ７の画質確認キー７４が操作されるたびに、ハードディスク装置４に記録されている放送信号と符号化された信号を交互に復号させ、再生することができるので、簡単な操作によって画質の比較を容易に行えるようになる。また、リモートコントローラ７の画質確認キー７４が操作されるたびに、ハードディスク装置４に記録されている放送信号と符号化された信号を、所定時間だけ遡った場面からデコーダ５に交互に復号させるので、簡単な操作によって同じ場面の画質の比較を容易に行えるようになる。
【００２６】
なお、本発明は上記実施形態の構成に限られることなく、少なくとも第１チューナ２１によって受信された放送信号と共に、第２チューナ２２によって同時に受信された同一周波数の放送信号が符号化されてるように構成されていればよい。また、本発明は種々の変形が可能であり、例えば、エンコーダ３による符号化は、Ｈ．２６４の規格に準拠する形態に限られることなく、他の形態であってもよい。また、ハードディスク装置４に記録された放送信号と、符号化された信号を、モニタ装置上に分割された２画面に同時に表示させてもよい。
【符号の説明】
【００２７】
１    ハードディスクレコーダ
３    エンコーダ（信号符号手段）
４    ハードディスク装置（信号記録手段）
５    デコーダ（信号復号手段）
７    リモートコントローラ（指令入力手段）
９    制御部（制御手段）
２１    第１チューナ（第１受信手段）
２２    第２チューナ（第２受信手段）
【図１】
2010283693.tif 000003
【図２】
2010283693.tif 000004
【図３】
2010283693.tif 000005
【図４】
2010283693.tif 000006